(57)【要約】【課題】  横ズレ等が生ずることなく、強固にボルトで固定することができる補高便座の固定構造を提供する。【解決手段】  便器本体１と便座３間に配設される補高便座２を、便座３の上方より垂下状に通したボルト４により便器本体１に固定する固定構造において、補高便座２にボルト通し用のボルト孔２ａを設け、補高便座の上面のボルト孔２ａの周りにナット６を嵌め込むことのできる凹部２ｂを設け、この凹部２ｂ内に嵌め込んだナット６に、ボルト４を螺合させて締め付けるように構成する。【選択図】  図３
2006305018.tif 000002
【特許請求の範囲】
【請求項１】
便器本体と便座間に配設される補高便座を、前記便座の上方より垂下状に通したボルトにより前記便器本体に固定する補高便座の固定構造において、前記補高便座にボルト通し用のボルト孔を設け、補高便座の上面または下面の前記ボルト孔の周りにナットを嵌め込む凹部を設け、該凹部内に嵌め込んだナットに前記ボルトを螺合させて締め付けるように構成したことを特徴とする補高便座の固定構造。
【請求項２】
前記凹部が、ナット外形に対応した六角形状であることを特徴とする請求項１に記載の補高便座の固定構造。
【請求項３】
便器本体と便座間に配設される補高便座の内部に、便器使用時に肘を載せることのできる肘掛け部を支持するフレームを挿入させたことを特徴とする補高便座。
【請求項４】
前記フレームの挿入長さを任意の位置で固定できるように構成した請求項３に記載の補高便座。
【請求項５】
前記フレームに対し前記肘掛け部の高さを変えられるように構成したこと特徴とする請求項３または請求項４に記載の補高便座。
【発明の詳細な説明】
【技術分野】
【０００１】
本発明は、便器本体と便座間に設けられる補高便座、及び、補高便座の固定構造に関するものである。
【背景技術】
【０００２】
従来、例えば特許文献１に開示されているように、便器本体と便座間に、嵩上げ用の補高便座を設けているものがあり、この補高便座により、便座の高さ位置が高くなり、そのため老人等が便座への立ち座りが楽になるように構成されている。
【特許文献１】特開２００２−３４８６０号公報
【発明の開示】
【発明が解決しようとする課題】
【０００３】
上記特許文献１に開示されているような補高便座においては、図５の要部縦断面拡大構成図で示すように、便器１の上面部１ａと補高便座２と便座３に、ボルト４を通すボルト孔２ａを垂直に形成させておき、ボルト４をボルト孔２ａに通して、下方よりボルト４に対しナット５を締め付けて固定されているが、このような固定構造では、横方向の力が作用することにより、補高便座２及び便座３に横方向等のズレが生じ易く、ぐらつくことがあるという問題点があった。
また、従来では、便器使用時に使用する肘掛け部は、別途壁面等に固定されており、肘掛けをコンパクトに設置することが困難であるという問題点があった。
【課題を解決するための手段】
【０００４】
本発明は上記従来の問題点に鑑み案出したものであって、肘掛け部をコンパクトに設置することができ、また、ズレ等が生じない補高便座及び補高便座の固定構造を提供するものであり、その請求項１は、便器本体と便座間に配設される補高便座を、前記便座の上方より垂下状に通したボルトにより前記便器本体に固定する補高便座の固定構造において、前記補高便座にボルト通し用のボルト孔を設け、補高便座の上面または下面の前記ボルト孔の周りにナットを嵌め込む凹部を設け、該凹部内に嵌め込んだナットに前記ボルトを螺合させて締め付けるように構成したことである。
【０００５】
また請求項２は、前記凹部が、ナット外形に対応した六角形状であることである。
【０００６】
また請求項３は、便器本体と便座間に配設される補高便座の内部に、便器使用時に肘を載せることのできる肘掛け部を支持するフレームを挿入させたことである。
【０００７】
また請求項４は、前記フレームの挿入長さを任意の位置で固定できるように構成したことである。
【０００８】
また請求項５は、前記フレームに対し前記肘掛け部の高さを変えられるように構成したことである。
【発明の効果】
【０００９】
本発明の補高便座の固定構造は、補高便座を、便座の上方より垂下状に通したボルトにより便器本体に固定するに際し、補高便座にはボルト通し用のボルト孔を設け、補高便座の上面または下面のボルト孔の周りにナットを嵌め込む凹部を設けておき、凹部内に嵌め込んだナットにボルトを螺合させて締め付けるようにしたため、補高便座に形成した凹部内にナットが嵌め込まれることにより、このナットでボルトを強固に便座、或いは補高便座に垂下状に固定することができ、その状態でボルトが便器本体に固定されるため、強固に補高便座を固定できるものとなり、従来のようなズレ等が生じないものとなる。
【００１０】
また、凹部が、ナット外形に対応した六角形状であることにより、凹部内に六角ナットを入れることができ、施工が楽なものとなる。
【００１１】
また、便器本体と便座間に配設される補高便座の内部に、便器使用時に肘を載せることのできる肘掛け部を支持するフレームを挿入させたことにより、補高便座を利用して、この補高便座の内部にフレームを挿入させて、コンパクト且つ強固に肘掛け部を設置することができるものとなる。
【００１２】
また、フレームの挿入長さを任意の位置で固定できるように構成したことにより、フレームの補高便座への挿入長さを調整することで、左右側の肘掛け部の間隔を調整して、使用者の体格に合わせることができるものとなる。
【００１３】
また、フレームに対し肘掛け部の高さを変えられるように構成したことにより、フレームに対する肘掛け部の高さを調整して、体格に応じた肘掛け部の高さを確保できるものとなる。
【実施例】
【００１４】
以下、本発明の実施例を図面に基づいて説明する。
図１は、補高便座を備えた便器の分解斜視構成図である。
便器本体１の上面には、補高便座２が設置され、この補高便座２上に、更に便座３が設置されるものである。
本例では、補高便座２の内部に、左右一対の支持部材９，９が固設されており、この支持部材９，９のそれぞれに左右側からフレーム８，８を挿入して、それぞれフレーム８には肘掛け部７を取り付けできるように構成したものである。
【００１５】
肘掛け部７は、下面から垂下状に差込部７ａが形成されており、この差込部７ａをフレーム８の垂直部８ａ内に差し込んで、肘掛け部７の上下高さを調整できるように構成されている。
また、フレーム８の水平部８ｂの先端には、例えば四角形状や多角形状の挿入部８ｃが一体形成されており、この挿入部８ｃを支持部材９に回り止めした状態で差し込み、挿入部８ｃの挿入長さを調整することで、左右の肘掛け部７，７の間隔を適宜調整して、体格に合わせ、肘掛け部７，７を所定位置および高さに配置できるように構成されている。
この肘掛け部７，７は、便座３上に座って便器を使用する際に、肘を掛けて身体を安定させることができ、また立ち座りの際にも、手を添えて利用できるものである。
【００１６】
なお、本例の補高便座２には、図２に要部拡大斜視図で示すように、上面側に六角ナット６を嵌め込みできる六角形状の凹部２ｂが凹み状に形成されており、この凹部２ｂの底から下側へ貫通してボルト４を通すボルト孔２ａが形成されたものとなっている。
【００１７】
図３の要部縦断面構成図で示すように、便器本体１の上面部１ａには、ボルト４を通すボルト孔１ｂが形成されており、また便座３にもボルト４を通すボルト孔３ａが形成されており、ボルト４で便器本体１上に補高便座２と便座３を取り付ける際に、凹部２ｂ内に予め六角ナット６を嵌め込んでおき、この状態で上方よりボルト４を便座のボルト孔３ａ内に通し、ボルト４を回してボルト４をナット６に螺合させ、ボルト４を締め付けることにより、ナット６は便座３の下面に強固に固定状となり、ボルト４は便座３に強固に固定されて垂下状態となる。
この状態で、ボルト４をボルト孔２ａ内に垂下させて、更に便器本体上面部１ａのボルト孔１ｂを通過させて、下端側よりナット５をボルト４に締め付けて固定することにより、便座３及び補高便座２が強固に便器本体１に固定された状態となり、従来のように横方向のズレ等が生ずることがなく、強固な補高便座２の取付状態が得られるものとなる。
【００１８】
なお、別の方法として、ボルト４を便座のボルト孔３ａ内に通して、ボルト４に六角ナット６を締め付けて、予め便座３に六角ナット６でボルト４を垂下状に固定させておき、その状態で、ボルト４を補高便座のボルト孔２ａ及び便器本体のボルト孔１ｂに通して、凹部２ｂ内に六角ナット６を嵌め込み、下方側からナット５で締め付けても、同様に強固な補高便座２の固定状態が得られるものである。
なお、本例では、ナット６は六角ナットを採用し、凹部２ｂは六角形状の凹部としているが、その他、多角形状のものであっても、三角形状，円形の凹部であっても良く、ナット６は六角形のものに限定されるものではない。
【００１９】
なお、図４の断面拡大図で示すものは変更例であり、図４では、補高便座２の下面側に凹み状に凹部２ｂを予め形成させておき、この凹部２ｂ内にナット６を嵌め込んだものである。
このような構造では、ボルト４をナット６に締め付けることで、ナット６は補高便座２に強固に固定状となり、便座３と補高便座２が一体化されて、ボルト４は補高便座２から垂下状となる。
このように、ナット６でボルト４を強固に補高便座２に垂下状に固定することができ、その状態で、補高便座２から垂下状となったボルト４を、便器本体のボルト孔１ｂに通し、下方からナット５を締め付けて、強固に便器本体１に補高便座２と便座３を固定できるものとなり、この変更例においても、ボルト４を固定した状態では、便座３及び補高便座２に横ズレ等が生ずることがなく、強固な取付状態が得られるものである。
【図面の簡単な説明】
【００２０】
【図１】補高便座と肘掛け部を設けた便器の分解斜視構成図である。
【図２】補高便座の上面にナットを嵌め込みできる凹部を形成させた要部拡大斜視構成図である。
【図３】凹部内に六角ナットを入れた状態でボルトを締め付けて、便器上に補高便座と便座を固定した状態の縦断面拡大構成図である。
【図４】変更例を示し、補高便座の下面側に凹部を形成した場合の固定状態の縦断面構成図である。
【図５】従来のボルトによる補高便座の固定状態の縦断面拡大構成図である。
【符号の説明】
【００２１】
１  便器本体
１ａ  上面部
１ｂ  ボルト孔
２  補高便座
２ａ  ボルト孔
２ｂ  凹部
３  便座
３ａ  ボルト孔
４  ボルト
５  ナット
６  六角ナット
７  肘掛け部
７ａ  差込部
８  フレーム
８ａ  垂直部
８ｂ  水平部
９  支持部材
【図１】
2006305018.tif 000003
【図２】
2006305018.tif 000004
【図３】
2006305018.tif 000005
【図４】
2006305018.tif 000006
【図５】
2006305018.tif 000007